(57)【要約】【課題】複数の区域又は部屋に区分けされた施設内に立入る滞在者、従業者又は来訪者の各区域への入退出を管理すると共に、当該施設内における立入者の移動状態を記録又は表示する映像記録システムを提供する。【解決手段】管理サーバ４は、ＩＣタグ読取装置２１がＩＣタグ１１の記録情報を送信する毎に、ビデオカメラ装置２２から送信されるビデオ映像データに付与された区域ＩＤも取得し、両者を対応付けて移動軌跡データベースＤＢ１に記録する。前記記録情報には、立入者ＩＤが含まれており、これにより、１以上の立入者各々の施設内区域への移動記録を保持することができる。また、前記ビデオ映像データを、追跡ビデオ映像データベースＤＢ２上の立入者ＩＤに対応するファイルに書き込むと共に、ＩＣタグ１１の記録情報に含まれる立入者ＩＤが、指定入力された立入者ＩＤと一致する場合は、表示装置４３に表示する。【選択図】図１
2008252473.tif 000002
【特許請求の範囲】
【請求項１】
個別の区域ＩＤ毎に区分けされた複数の区域又は部屋（以下、「区域」という）を有する施設内に立入る滞在者、従業者又は来場者（以下、「立入者」という）の各区域への入退出を管理すると共に、当該施設内における立入者の移動を映像情報として記録する施設内映像記録システムであって、
前記施設内の各区域に設置され、当該区域の映像データを撮影し、当該映像データに対応する前記区域ＩＤを付して送信する複数のビデオカメラ装置と、
前記立入者の夫々により装着され、各立入者を識別する立入者ＩＤをそのメモリ内に記録する複数のＩＣタグと、
前記施設内の各区域に複数設置され、各区域に立入る立入者を前記ＩＣタグにより検知する複数のＩＣタグ読取手段と、
前記複数のビデオカメラ装置から送信される前記施設内の各区域ＩＤを付した各映像データを時間経過順に格納する映像データ格納装置と、
前記複数のビデオカメラ装置、前記複数のＩＣタグ読取装置及び前記映像データ格納装置に接続された管理サーバと、を備え、
前記管理サーバは、
前記複数のＩＣタグ読取装置から送信されてくるＩＣタグの検知結果に基づく前記立入者ＩＤ毎の前記施設内における移動軌跡を格納する移動軌跡データベースを備え、
前記移動軌跡データベースに格納された立入者ＩＤ毎の前記移動軌跡に基づいて、前記ビデオ映像格納手段に格納された各区域ＩＤ映像データの中から当該立入者ＩＤが移動した区域ＩＤの映像データを時間経過順に選択して編集することにより、前記施設内における前記立入者の移動状態を撮影した映像データを得ることを特徴とする映像記録システム。
【請求項２】
前記ＩＣタグはパッシブ型又はアクティブ型のＲＦＩＤ非接触型ＩＣタグで構成されていることを特徴とする請求項１に記載の映像記録システム。
【請求項３】
前記映像データ格納装置は、前記複数のビデオカメラ装置から送信されてくる各映像データを、毎秒５乃至３０コマの連続する静止画像として記録することを特徴とする請求項１に記載の映像記録システム。
【請求項４】
前記映像データ格納装置は、前記複数のビデオカメラ装置から送信されてくる各映像データの少なくとも７２時間分を記録するメモリ容量を備えたことを特徴とする請求項３に記載の映像記録システム。
【請求項５】
前記複数のビデオカメラ装置から送信される各映像データの各コマには、前記区域ＩＤと共に時間情報が付されていることを特徴とする請求項４に記載の映像記録システム。
【請求項６】
前記立入者の移動状態を撮影した映像データは、前記管理サーバに接続された入力装置により指定された特定の立入者ＩＤに係る映像データを選択することにより行われる、ことを特徴とする請求項１に記載の映像記録システム。
【請求項７】
前記管理サーバは、前記管理サーバに接続された入力装置により指定された時間範囲の前記特定の立入者ＩＤに係る映像データを選択することを特徴とする請求項１に記載の映像記録システム。
【請求項８】
前記管理サーバには、さらに、前記立入者ＩＤ毎の時間経過順に編集された前記映像データを格納する追跡ビデオ映像データベースが接続されていることを特徴とする請求項１に記載の映像記録システム。
【請求項９】
前記複数のビデオカメラ装置は、担当する区域内の一方向を広域に撮像する単眼方式のネットワークビデオカメラと、担当する区域内の全方向を同時に撮影可能な複眼方式のネットワークカメラと、から構成されていることを特徴とする請求項１に記載の映像記録システム。
【請求項１０】
前記複数のネットワークカメラは、夫々の映像データを前記区域内のローカルエリアネットワークを介して前記映像データ格納装置に送信することを特徴とする請求項９に記載の映像記録システム。
【請求項１１】
前記映像データは、ＪＰＥＧ方式に基づいて圧縮された映像データであることを特徴とする請求項１０に記載の映像記録システム。
【発明の詳細な説明】
【技術分野】
【０００１】
本発明は、複数の区域又は部屋に区分けされた施設内に立入る滞在者、従業者又は来訪者の各区域への入退出を管理すると共に、当該施設内における立入者の移動状態を記録及び／又は表示する映像記録システムに関する。
【背景技術】
【０００２】
病院、会社、研究施設、官庁若しくは特定の地域や地区を含む種々の施設は、複数の区域に区分けすることができる。また、建築物等の施設内では、複数のフロアを有し、各フロアの面積が大きく各フロアは複数の部屋に区画されている。このような施設として例えば病院施設の場合には、医者や看護士等の内勤者、入院患者、外来患者、物品納入業者及び面会者を含めて様々な人が、当該病院施設内の立入者となる。内勤者を除く一般の立入者は、一度施設内への立入りが許可されると、当該施設内のあらゆるフロア、区域又は部屋に入場又は入室することが可能であり、例えば、病院の場合、極端な事例として、検査室や手術室にまで関係の無い者が立入ることとなれば診療業務の大きな妨げとなる。
【０００３】
また、病院施設に限らず特定の施設内、地区又は地域内に居住する認知症患者による介護者を伴わない徘徊は、重大な事故を招来する危険性を有する。
【０００４】
この対策として、従来は、このような施設や区域への立入者にバッジやワッペン等のＩＤ証を装着させて、各立入者を個別にチェックしたり、警護を要する立入者に対しては介護者を同伴させるようにしていたが、これらの対策は、大きな施設や広大な区域ほど、そのための人件費等のコスト負担が大きくなるとの課題を有していた。
【０００５】
近年は、施設内の各区画や部屋内にビデオカメラを設置して、各区画や部屋の内部の様子を常時撮影又は録画し、必要に応じてモニタ画面に表示させることが行われている。
【０００６】
また、近年は、ＩＤ情報を格納したＩＣチップ（以下、「ＩＣタグ」という）が考案され、商品の物流管理や販売管理の分野のみならず、個人認証の手段にも使用されるに至ってきている（例えば、特許文献１参照）。
【特許文献１】特開２００２−３４２７３７号公報
【発明の開示】
【発明が解決しようとする課題】
【０００７】
しかし、施設内や区域内に多くの台数のビデオカメラ装置を設置しても、多くのビデオ映像からある特定の人物を識別するのは困難な場合が多く、例えば、施設内における認知症患者の移動や動向を膨大な数のビデオ映像から探し出すのは困難を極める。このため、従来のセキュリティ管理のためのビデオシステムは、ある区画や場所で何らかの事故又は事件が発生した後に、事後的に当該場所に設置していたビデオカメラの映像記録を確認するためのものであって、現時点において特定の人物（立入者）の居場所の映像データをリアルタイムに取得したり、特定の立入者の施設内の移動の軌跡を連続する映像データとして記録するものではなかったのである。
【０００８】
このため、本発明は、複数の区域又は部屋に区分けされた施設内の立入者の各区画内への入退出を管理すると共に、当該施設内における立入者の移動状態を映像データとしてリアルタイムに表示し又はこれを記録する映像記録システムを提供することを目的とする。
【課題を解決するための手段】
【０００９】
このため、本願は、個別の区域ＩＤ毎に区分けされた複数の区域又は部屋を有する施設内に立入る滞在者、従業者又は来場者等の立入者の各区域への入退出を管理すると共に、当該施設内における立入者の移動を映像情報として記録する施設内映像記録システムであって、前記施設内の各区域に設置され、当該区域の映像データを撮影し、当該映像データに対応する前記区域ＩＤを付して送信する複数のビデオカメラ装置と、前記立入者の夫々により装着され、各立入者を識別する立入者ＩＤをそのメモリ内に記録する複数のＩＣタグと、前記施設内の各区域に複数設置され、各区域に立入る立入者を前記ＩＣタグにより検知する複数のＩＣタグ読取手段と、前記複数のビデオカメラ装置から送信される前記施設内の各区域ＩＤを付した各映像データを時間経過順に格納する映像データ格納装置と、前記複数のビデオカメラ装置、前記複数のＩＣタグ読取装置及び前記映像データ格納装置に接続された管理サーバと、を備え、前記管理サーバは、前記複数のＩＣタグ読取装置から送信されてくるＩＣタグの検知結果に基づく前記立入者ＩＤ毎の前記施設内における移動軌跡を格納する移動軌跡データベースを備え、前記移動軌跡データベースに格納された立入者ＩＤ毎の前記移動軌跡に基づいて、前記ビデオ映像格納手段に格納された各区域ＩＤ映像データの中から当該立入者ＩＤが移動した区域ＩＤの映像データを時間経過順に選択して編集することにより、前記施設内における前記立入者の移動状態を撮影した映像データを得ることを特徴とする映像記録システムを提供するものである。
【００１０】
ここで、前記ＩＣタグは、ＩＣタグを装着する立入者とＩＣタグ読取手段との距離に応じて、ＩＣタグをパッシブ型又はアクティブ型のＲＦＩＤ非接触型ＩＣタグで構成するようにしている。
【００１１】
また、前記映像データ格納装置は、前記複数のビデオカメラ装置から送信されてくる各映像データを、毎秒５乃至３０コマの連続する静止画像として記録することを特徴とする。ここで、前記映像データ格納装置は、前記複数のビデオカメラ装置から送信されてくる各映像データの少なくとも７２時間分を記録するメモリ容量を備えるようにしている。
【００１２】
ところで、前記複数のビデオカメラ装置から送信される各映像データの各コマには、前記区域ＩＤと共に時間情報が付されているので、管理サーバは、前記ビデオ映像格納手段に格納された各区域ＩＤ映像データの中から特定の立入者ＩＤが移動した区域ＩＤの映像データを時間経過順に選択して編集することができるのである。そして、前記立入者の移動状態を撮影した映像データは、前記管理サーバに接続された入力装置により指定された特定の立入者ＩＤに係る映像データを選択することにより行われるのである。
【００１３】
また、本映像記録システムにおける管理サーバは、当該管理サーバに接続された入力装置により指定された時間範囲の前記特定の立入者ＩＤに係る映像データを選択するようにしている。また、前記管理サーバには、さらに、前記立入者ＩＤ毎の時間経過順に編集された前記映像データを格納する追跡ビデオ映像データベースが接続されているのである。
【００１４】
ところで、前記複数のビデオカメラ装置は、担当する区域内の一方向を広域に撮像する単眼方式のネットワークビデオカメラと、担当する区域内の全方向を同時に撮影可能な複眼方式のネットワークカメラと、から構成され、各ネットワークカメラは、夫々の映像データを前記区域内のローカルエリアネットワークを介して前記映像データ格納装置に送信するようにしている。また、前記映像データは、ＪＰＥＧ方式に基づいて圧縮された映像データとすることにより、前記映像データ格納装置の容量の低減化を可能にしている。
【発明の効果】
【００１５】
このように、本発明に係る映像記録システムは、施設内の各区域内に配設された複数のＩＣタグ読取装置から送信されてくるＩＣタグの検知結果に基づいて、ビデオ映像格納手段に格納された各区域ＩＤ映像データの中から当該立入者ＩＤが移動した区域ＩＤの映像データを時間経過順に選択して編集するようにしたので、施設内の複数の区域又は部屋に区分けされた施設内の立入者の各区画内への入退出を管理すると共に、施設内における立入者の移動状態を映像データとしてリアルタイムに表示し又はこれを記録することを実現したのである。
【発明を実施するための最良の形態】
【００１６】
以下、本発明の施設内映像記録システムの最良の実施形態について、図面を参照しつつ詳細に説明する。
【００１７】
図１は、本発明の実施形態に係る施設内映像記録システムの全体構成を示す構成図である。図１において、本実施形態の施設内映像記録システムは、立入者に装着又は携帯させるＩＣタグ付きのＩＣタグワッペン１と、部屋単位で設置される機器で構成される１以上の施設内区域２と、立入者の立入った部屋の様子を撮影したビデオ映像データを立入者ＩＤ毎及び区域ＩＤ毎に格納する映像データ格納装置３と、立入者の移動経路を追跡して立入った部屋の様子を表示する管理サーバ４と、立入者に携帯させるＩＣタグワッペン１の種類を判別する受付１０と、ＩＣタグワッペン１の裏面に貼り付けられたＩＣタグ１１と、を備えて構成される。ＩＣタグは、ワッペンや装身具の形態により、各立入者に装着されるようにする。
【００１８】
施設内の各区域２は、ＩＣタグ１１に記録されている情報を読み取って管理サーバ４に送信するＩＣタグ読取装置２１と、当該施設内区域２に対応する部屋の内部を撮影した撮像データに区域ＩＤを付与して成る映像データを管理サーバ４に送信する１以上のビデオカメラ装置２２と、を備えて構成される。
【００１９】
ここで、ＩＣタグ読取装置２１は、検知したＩＣタグ１１に、当該ＩＣタグ読取装置２１が設置されている区域ＩＤと読取時刻を書き込むようにすると良い。これにより、当該ＩＣタグ１１内のデータを読み取ることにより、当該ＩＣタグ１１を装着した立入者の移動軌跡をＩＣタグ１１のデータにより確認することができるのである。
【００２０】
施設内の受付箇所には、立入者の分類と該分類に対応した入場許可施設等の映像データと共に当該立入者に携帯させるＩＣタグワッペン１に関する情報を表示する表示装置１０１を備える。
【００２１】
ＩＣタグ１１には事前に読み出し可能なＩＣタグ番号（立入者ＩＤ）を記録するものとする。ＩＣタグ１１は、非接触型ＩＣタグとする。ところで、ＩＣタグ１１は、ＩＣタグを装着する立入者とＩＣタグ読取手段との距離に応じて、ＩＣタグをパッシブ型又はアクティブ型のＲＦＩＤ非接触型ＩＣタグで構成する。また、ＩＣタグワッペン１は、入退室管理上の分類に対応した着色を施すようにしてもよい。
【００２２】
ビデオカメラ装置２２のカメラ部（図示は省略）は、通常の指向性を有する監視用ビデオカメラ、若しくは１台で３６０度を同時にカバーできる監視用ビデオカメラで構成することができる。すなわち、施設内に設置されるビデオカメラ装置２２は、各区域の状況に鑑みて担当する区域内の一方向を広域に撮像する単眼方式のネットワークビデオカメラと、担当する区域内の全方向を同時に撮影可能な複眼方式のネットワークカメラと、から構成するとよい。そして、このネットワークカメラは、夫々の映像データを前記区域内のローカルエリアネットワークを介して映像データ格納装置３に送信するようにしている。また、映像データは、ＪＰＥＧ方式に基づいて圧縮された映像データとすることにより、映像データ格納装置３の容量の低減化を可能にしている。
【００２３】
ビデオカメラ装置２２は、１部屋に１台又は複数台を設置することが可能であり、いずれも取得された撮像データに区域ＩＤを付与して成るビデオ映像データを無線（無線ＬＡＮを含む）又は有線（インターネット網を含む）で送信する機能を有するものとする。
【００２４】
以下、本実施形態の施設内映像記録システムの動作を説明する。
【００２５】
受付１０（管理室）の表示装置１０１には、常時（又は立入者が現れた時に）、当該立入者の分類と該分類に対応した入場許可施設等の情報と、当該立入者に携帯させるＩＣタグワッペン１に関する情報とが表示される（図５参照）。
【００２６】
受付１０の担当者は、当該立入者に質問することで当該立入者の入退室管理上の分類を確認すると共に、表示装置１０１（受付用）の表示を視認して、当該立入者に携帯させるＩＣタグワッペン１を選択し、当該立入者に手渡しする。
【００２７】
当該立入者が、施設内区域２に入ると、ＩＣタグ１１が非接触型の場合、施設内区域２の入口付近に設置されているＩＣタグ読取装置２１がＩＣタグ１１の記録情報を読み取って管理サーバ４に送信する。また、ＩＣタグ１１が接触型の場合は、当該立入者が、施設内区域２に入る時に、施設内区域２の入口付近に設置されているＩＣタグ読取装置２１にＩＣタグ１１を接触させる。これにより、ＩＣタグ読取装置２１がＩＣタグ１１の記録情報を読み取って管理サーバ４に送信する。
【００２８】
ビデオカメラ装置２２は常時作動して、施設内区域２の内部の様子を撮影し、撮像データに区域ＩＤを付与して成る映像データを映像データ格納装置３及び管理サーバ４に送信している。そして、映像データ格納装置３は、立入者の立入った部屋の様子を撮影した撮像データに区域ＩＤを付与して成るビデオ映像データを、映像データ格納装置３（図１）に順次格納するのである。
【００２９】
ところで、この映像データ格納装置３は、前記ビデオカメラ装置２２から送信されてくる各映像データを、毎秒５乃至３０コマの連続する静止画像として記録する。そして、この映像データ格納装置は、各ビデオカメラ装置２２から送信されてくる各映像データの少なくとも７２時間分を記録するメモリ容量を備えるようにしている。また、各ビデオカメラ装置２２から送信される各映像データの各コマには、時間情報が付されているのである。
【００３０】
管理サーバ４は、１以上のＩＣタグ読取装置２１がＩＣタグ１１の記録情報を読み取って送信する毎に、ビデオカメラ装置２２から送信される映像データに付与された区域ＩＤも併せて取得し、両者を対応付けて移動軌跡データベースＤＢ１（図３参照）に記録することも可能である。ＩＣタグ１１の記録情報には、立入者ＩＤが含まれており、これにより、１以上の立入者各々の施設内区域への移動記録を保持することができる。また、管理サーバ４は、ビデオカメラ装置２２から送信されるビデオ映像データを、追跡ビデオ映像データベースＤＢ２（図３参照）上の立入者ＩＤに対応するファイルに書き込む。但し、この書き込みは、１以上の立入者各々のビデオ映像データが同時的に送信されて、それらのビデオ映像データを同時に書き込む構成の場合は、当該データ量を同時に処理する必要があるため、管理サーバ４は、前記データ量に耐えてマルチタスク動作ができるものであるものとする。
【００３１】
さらに、管理サーバ４は、ＩＣタグ１１の記録情報に含まれる立入者ＩＤが、入力装置４４（図３参照）で指定入力された立入者ＩＤと一致する場合は、ビデオカメラ装置２２から送信されるビデオ映像データを表示装置４３（図３参照）の表示画面に表示する。尚、当該ビデオ映像データは撮像データに区域ＩＤが付与されたものであるが、表示装置４３には、撮像データと区域ＩＤとを、同一画面に、それぞれ表示することができる。
【００３２】
図２は、本発明の実施形態に係る施設内映像記録システムのビデオカメラ装置２２の構成を示す構成図である。図２に示すビデオカメラ装置２２は、設置された施設内区域２に対応する区域ＩＤを記憶する区域ＩＤ記憶部２２１と、施設内区域２内の様子を撮影する撮像部２２２と、撮像部２２２が撮影した撮像データに区域ＩＤ記憶部２２１が記憶する区域ＩＤを付与してビデオ映像データを作成する映像データ作成部２２３と、映像データ作成部２２３が作成したビデオ映像データを映像データ格納装置３及び管理サーバ４へ送信する送信部２２４と、を備える。
【００３３】
ビデオカメラ装置２２は、常時作動し、前述のビデオ映像データを映像データ格納装置３及び管理サーバ４へ送信するものとする。
【００３４】
図３は、本発明の実施形態に係る施設内映像記録システムの管理サーバ４の１構成例を示す構成図である。図３に示す管理サーバ４は、全体を制御すると共に、１以上のビデオカメラ装置２２の各々又は映像データ格納装置３から送信されるビデオ映像データ、及びＩＣタグ読取装置２１から送信されるＩＣタグ１１の記録情報を処理するデータ処理部４１と、１以上のビデオカメラ装置２２の各々、若しくは映像データ格納装置３から送信されるビデオ映像データ、及びＩＣタグ読取装置２１から送信されるＩＣタグ１１の記録情報をそれぞれ受信する伝送処理部４２と、１以上のビデオカメラ装置２２から同時に送信されるビデオ映像データが、立入者ＩＤに対応するファイル別に書き込まれる追跡ビデオ映像データベースＤＢ２と、ＩＣタグ１１の記録情報に含まれる立入者ＩＤが、入力装置４４（図３参照）で指定入力された立入者ＩＤと一致する場合に、１以上のビデオカメラ装置２２から同時に送信されるビデオ映像データを表示する表示装置４３と、表示すべき立入者の立入者ＩＤや、表示の終了指示等を指定入力するための入力装置４４と、を備える。
【００３５】
データ処理部４１は、ビデオ映像データの撮像データと区域ＩＤとが、表示装置４３の同一画面に、それぞれ表示されるように制御することができる。また、データ処理部４１は、表示装置４３へのビデオ映像データの表示を、ビデオカメラ装置２２からの映像データの送信と略同期させたリアルタイム処理の形態で行われるように制御することができる。さらに、データ処理部４１は、表示装置４３へのビデオ映像データの表示を、ビデオカメラ装置２２による映像データを追跡ビデオ映像データベースＤＢ２に一旦記憶された映像データを後から読み込んで表示するバッチ処理の形態で行われるように制御することもできる。
【００３６】
表示装置４３は複数台を設置することが可能である。この場合、複数の立入者について、その移動先の画像を表示させることができる。
【００３７】
図４は、本発明の実施形態に係る施設内映像記録システムが適用される施設の構成を示す構成図である。図４において、符号２ａ，２ｂ，２ｃ，２ｄは、それぞれ施設内区域２（図１）の入口付近を示している。また、符号２ａは病棟の入口付近を示し、符号２ｂ，２ｃは、それぞれ病室の入口付近を示し、符号２ｄは電磁波等を使用する診断室の入口付近を示している。
【００３８】
また、図４において、符号５ａ乃至５ｅは、ビデオカメラ装置２２が設置されている場所を示している。ここでは、各部屋に１台のビデオカメラ装置２２を備えるものとしているが、本発明では、一般に、各部屋には複数のビデオカメラ装置２２を備えることが可能である（この場合、この部屋は、複数の施設内区域２を有することになる）。
【００３９】
図５は、本発明の実施形態に係る施設内映像記録システムの表示装置１０１に表示される情報の１例を示す説明図である。ＩＣタグ１１には、図５に示すように、立入者の分類を示す「来場者区分」の項目として、「内勤者」、「入院患者」、「面会者」及び「業者」の各分類が記録されている。当然のことながら、「内勤者」、「入院患者」、「面会者」、及び「業者」の種別毎に異なる分類コードを設定することにより、各区域又は部屋毎のより細分化された入室管理及び退室管理をすることが可能である。
【００４０】
ところで、図５の例では、立入者の分類に対応する分類コードとして、「ＡＢ１１」、「ＣＤ２２」、「ＥＦ３３」及び「ＧＨ４４」、各分類コードに対応するＩＣタグ番号（請求項１記載の立入者ＩＤ）として、「１乃至１０００」、「２０００乃至３０００」、「４０００乃至５０００」、「６０００乃至７０００」の各データが記録され管理される。また、これらの分類コードに対応するＩＣタグ１１の着色として、「白」、「赤」、「青」、「黄」の各色指定が記録されている。  尚、受付１０の担当者は、口頭で問い合わせた当該立入者からの回答内容と、前記の各記録とを照合して、当該立入者に携帯させるＩＣタグ１１を選択し、当該立入者に手渡すこととなる。
【００４１】
図６は、本発明の実施形態に係る施設内映像記録システムのビデオカメラ装置２２の映像データ処理動作を示すフローチャートである。以下、図１乃至３を参照しつつ、図６に示すフローチャートを使用して、ビデオカメラ装置２２の映像データ処理動作について説明する。
【００４２】
図６において、まず、映像データ作成部２２３は、撮像部２２２が撮影した施設内区域２内部の様子を示す撮像データを入力する（Ｓ１）。次に、映像データ作成部２２３は、当該撮像データに区域ＩＤ記憶部２２１が記憶する区域ＩＤを付与してビデオ映像データを作成する（Ｓ２）。そして、送信部２２４は、映像データ作成部２２３が作成したビデオ映像データを管理サーバ４と映像データ格納装置３に送信する（Ｓ３）。
【００４３】
図７は、本発明の実施形態に係る施設内映像記録システムの管理サーバ４におけるリアルタイム処理動作を示すフローチャートである。以下、図１乃至３を参照しつつ、図７に示すフローチャートを使用して、管理サーバ４のリアルタイム処理動作を説明する。
【００４４】
まず、データ処理部４１は、ＩＣタグ読取装置２１からＩＣタグ１１の記録情報が送信されるまで待機し、前記記録情報が送信されるとＳ２２に進む（Ｓ２１）。そして、データ処理部４１は、ビデオカメラ装置２２から送信された前記ビデオ映像データに付与されている区域ＩＤと、ＩＣタグ１１の前記記録情報とをそれぞれ取得し、両者を対応付けて移動軌跡データベースＤＢ１に記録する（Ｓ２２）。
【００４５】
次に、データ処理部４１は、ビデオカメラ装置２２から送信されたビデオ映像データ（取得した区域ＩＤに対応するビデオ映像データ）を取得する（Ｓ２３）。
【００４６】
次に、データ処理部４１は、取得した前記ビデオ映像データを、追跡ビデオ映像データベースＤＢ２上の前記立入者ＩＤに対応するファイルに書き込む（Ｓ２４）。
【００４７】
次に、データ処理部４１は、入力装置４４を介して、リアルタイム処理の表示要求が指定入力されたか否かを検証し、前記表示要求が指定入力されている場合は、Ｓ２６に進み、前記表示要求が指定入力されていない場合はＳ２１に戻る（Ｓ２５）。
【００４８】
そして、データ処理部４１は、取得したＩＣタグ１１の前記記録情報に記録されている立入者ＩＤ（即ち、ＩＣタグ番号）が、入力装置４４を介して指定入力された１以上の立入者ＩＤのいずれかと一致する場合にのみ、取得した前記ビデオ映像データを、当該一致した立入者ＩＤと対応する表示装置４３に表示し（Ｓ２６）、Ｓ２１に戻る。これにより、指定された立入者が移動した施設内区域２各々の、内部の様子が、リアルタイム処理で表示可能となる。
【００４９】
図８は、本発明の実施形態に係る施設内映像記録システムの管理サーバ４におけるバッチ処理動作を示すフローチャートである。以下、図１乃至３を参照しつつ、図８に示すフローチャートを使用して、管理サーバ４のバッチ処理動作を説明する。
【００５０】
まず、データ処理部４１は、追跡ビデオ映像データベースＤＢ２上の、入力装置４４を介して指定入力された立入者ＩＤに対応するファイルのビデオ映像データを読み込む（Ｓ３１）。尚、この読み込みの単位は、表示装置４３の処理単位とする。
【００５１】
次に、データ処理部４１は、読み込んだビデオ映像データを表示装置４３に表示する（Ｓ３２）。そして、データ処理部４１は、入力装置４４を介して、表示の終了指示が指定入力されたか否かを検証し、前記終了指示が指定入力されている場合は処理を終了し、前記終了指示が指定入力されていない場合はＳ３４に進む（Ｓ３３）。
【００５２】
Ｓ３４では、データ処理部４１は、追跡ビデオ映像データベースＤＢ２上の全データの読み込みが完了しているか否かを検証し、前記全データの読み込みが完了している場合は処理を終了し、前記全データの読み込みが完了していない場合はＳ３１に戻る。
【００５３】
尚、前記のＩＣタグワッペン１は、必ずしもワッペンにＩＣタグ１１を貼り付けた構成である必要は無く、他の携帯可能な小物にＩＣタグ１１を貼り付けるか、若しくは付帯させた構成であってもよい。
【００５４】
また、本実施形態では、追跡ビデオ映像データベースＤＢ２（図３参照）上の立入者ＩＤに対応するファイルは、１以上の立入者全員分を用意しておき、１以上の立入者全員分のビデオ映像データを、それぞれ同時に書き込む構成としたが、ビデオ映像データを書き込むべき立入者の立入者ＩＤを入力装置４４から指定させ、追跡ビデオ映像データベースＤＢ２には、当該指定された立入者のビデオ映像データだけを書き込む構成にすることも可能である。
【００５５】
また、本実施形態では、ビデオカメラ装置２２に区域ＩＤを記憶しておいて、管理サーバ４に送信するように構成したが、施設内区域２の入口にドアの開閉機構等が設置される場合は、この開閉機構の制御部から区域ＩＤを管理サーバ４に送信するように構成することも可能である。
【００５６】
本発明に係る映像記録システムの各構成要素の処理の少なくとも一部をコンピュータ制御により実行するものとし、かつ、上記処理を、図６乃至８に記載のフローチャートで示した手順により実行されるプログラムは、半導体メモリを始め、ＣＤ−ＲＯＭや磁気テープなどのコンピュータ読み取り可能な記録媒体に格納して配付してもよい。そして、少なくともマイクロコンピュータ、パーソナルコンピュータ、汎用コンピュータを範疇に含むコンピュータが、上記の記録媒体から上記プログラムを読み出して実行するようにしてもよい。
【００５７】
さらに、本映像記録システムの実施の形態において、各施設内区域にＩＣタグ読取装置２１とは別に、人感知センサを設置し、ＩＣタグワッペン１を装着していない人物の入退場を感知し、これを撮影した映像データに警報コードを付するようにして、本映像記録システムをセキュリティ管理システムに取り入れることが可能である。
【００５８】
以上詳しく説明したように、本発明に係る映像記録システムにおいては、施設内の各区域内に配設された複数のＩＣタグ読取装置２１から送信されてくるＩＣタグ１１の検知結果に基づいて、映像データ格納装置３に格納された各区域ＩＤの映像データの中から当該立入者ＩＤが移動した区域ＩＤの映像データを時間経過順に選択して編集するようにした。これにより、本システムは、施設内の複数の区域又は部屋に区分けされた施設内の立入者の各区画内への入退出を管理すると共に、施設内における立入者の移動状態を映像データとしてリアルタイムに表示し又はこれを記録することを実現したのである。
【産業上の利用可能性】
【００５９】
本発明は、複数の区域又は部屋に区分けされた施設内に立入る滞在者、従業者又は来訪者の各区域への入退出を管理すると共に、当該施設内における立入者の移動状態を記録又は表示する映像記録システムに関するものであって、産業上の利用可能性を有する。
【図面の簡単な説明】
【００６０】
【図１】本発明の実施形態に係る施設内映像記録システムの全体構成を示す構成図である。
【図２】本発明の実施形態に係る施設内映像記録システムのビデオカメラ装置２２の構成を示す構成図である。
【図３】本発明の実施形態に係る施設内映像記録システムの管理サーバ４の１構成例を示す構成図である。
【図４】本発明の実施形態に係る施設内映像記録システムが適用される施設の構成を示す構成図である。
【図５】本発明の実施形態に係る施設内映像記録システムの表示装置１０１に表示される情報の１例を示す説明図である。
【図６】本発明の実施形態に係る施設内映像記録システムのビデオカメラ装置２２の映像データ処理動作を示すフローチャートである。
【図７】本発明の実施形態に係る施設内映像記録システムの管理サーバ４におけるリアルタイム処理動作を示すフローチャートである。
【図８】本発明の実施形態に係る施設内映像記録システムの管理サーバ４におけるバッチ処理動作を示すフローチャートである。
【符号の説明】
【００６１】
１：ＩＣタグワッペン
２：施設内区域
３：映像データ格納装置
４：管理サーバ
１０：受付
１１：ＩＣタグ
２１：ＩＣタグ読取装置
２２：ビデオカメラ装置
４１：データ処理部
４２：伝送処理部
４３：表示装置
４４：入力装置
２２１：区域ＩＤ記憶部
２２２：撮像部
２２３：映像データ作成部
２２４：送信部
ＤＢ１：移動軌跡データベース
ＤＢ２：追跡ビデオ映像データベース
【図１】
2008252473.tif 000003
【図２】
2008252473.tif 000004
【図３】
2008252473.tif 000005
【図４】
2008252473.tif 000006
【図５】
2008252473.tif 000007
【図６】
2008252473.tif 000008
【図７】
2008252473.tif 000009
【図８】
2008252473.tif 000010